(57)【特許請求の範囲】
【請求項１】
フランジを有する糸巻の内側に凹所を形成すると共に、前記凹所の中央部に支持部を設け、この支持部に、前記凹所を覆うと共に支持部を中心として揺動可能なカバー部材を設け、このカバー部材は、任意位置を押圧されたときに、仕掛けの付属物を前記凹所に収容する隙間を、前記支持部を中心として対向する部分と前記糸巻との間に形成することを特徴とする釣用仕掛巻。
【請求項２】
前記カバー部材は、透光性を有することを特徴とする請求項１に記載の釣用仕掛巻。
【請求項３】
前記支持部は、その近傍に設けられた切欠部により、弾性的に揺動可能であることを特徴とする請求項１又は２に記載の釣用仕掛巻。
【発明の詳細な説明】
【０００１】
【発明の属する技術分野】
本発明は、付属物や仕掛けを有する釣糸を巻回する釣用仕掛巻に関する。
【０００２】
【従来の技術】
釣りの仕掛けで釣糸の先端や途中に釣針や錘、鼻環等の付属物が取り付けられていると、収納時において、釣糸と共に仕掛巻や糸巻に巻回する際、釣糸に各種付属物が引っ掛かったりする問題が生じる。
【０００３】
このような不具合を解決するため、フランジを有する糸巻の内部に、第２糸巻を軸方向に出没させる技術が実用新案登録第２５１２６５８号や特開平７−２１３２１０号に開示されている。これらの公知技術は、付属物を第２糸巻の収納部に収納すると共に、釣糸を糸巻の胴部に巻回するよう構成されている。
【０００４】
【発明が解決しようとする課題】
しかし、第２糸巻を、巻回胴部を有する糸巻に対して軸方向に出没させる構造であるため、仕掛巻全体の厚さが必要となり、さらには、第２糸巻を突出させる分だけ所定量のストロークも必要となる。また、そのような出没構造を採用するため、各部材の構造が複雑となり、精度も要求されることから、コストが高くなってしまう。さらに、付属物を収納する際、第２糸巻を突出させ収納する、というように２動作が必要となり、手間もかかる。
【０００５】
この発明は、上記問題点に着目してなされたものであり、構造が簡単で安価に製造でき、各種付属物の収納が容易に行える釣用仕掛巻を提供することを目的とする。
【０００６】
【課題を解決するための手段】
前記課題を解決するために、本発明の釣用仕掛巻は、フランジを有する糸巻の内側に凹所を形成すると共に、前記凹所の中央部に支持部を設け、この支持部に、前記凹所を覆うと共に支持部を中心として揺動可能なカバー部材を設け、このカバー部材は、任意位置を押圧されたときに、仕掛けの付属物を前記凹所に収容する隙間を、前記支持部を中心として対向する部分と前記糸巻との間に形成することを特徴とする。
【０００７】
上記構成において、カバー部材の任意位置を指で押圧することで、その対向する部分が持ち上がる。そして、この持ち上がった部分の隙間を介して仕掛けの付属物を凹所内に収容すると共に、釣糸を糸巻に巻回する。
【０００８】
【発明の実施の形態】
図１は、本発明の第１の実施形態を示す図であり、（ａ）は正面図、（ｂ）は使用状態を示す側面断面図である。釣用仕掛巻１は、全体が円板形状をなした本体２を有しており、その外周側には、フランジ３によって、釣糸が巻回される糸巻３ａが形成されている。この糸巻３ａの内側には、所定の深さを有する略円形の凹所（収容部）５が形成される。
【０００９】
凹所５の中央部、すなわち本体２の中央部には、凹所５の深さと略対応するように、支持部７が設けられている。そして、この支持部７の先端部には、上記凹所５を覆うと共に、この支持部７を中心として揺動可能なように、カバー部材９が設けられている。具体的には、カバー部材９は、図（ｂ）に示すように、端部の任意の１ヶ所を指で押圧すると、支持部７を中心として対向する端部が揺動して浮き上がるようになっている。なお、カバー部材９は、糸巻３ａによる内周面３ｂに対して０．５〜１ｍｍ程度の間隔Ｄが形成される程度で、凹所５の形状と略対応するように形成されている。
【００１０】
また、前記フランジ３には、所定間隔をおいて複数個所（本実施の形態では６箇所）に前記凹所に達する切欠き３ｃが形成されると共に、所定間隔をおいて複数個所（本実施の形態では２箇所）に釣糸を挟持するための切り込み３ｄが形成されている。
【００１１】
以上のように構成された釣用仕掛巻を用いて仕掛けを巻回する場合、図に示すようにカバー部材９の任意位置の端部を指で押圧して対向する端部を浮き上がらせ、この状態で生じた隙間を介して、釣針や錘等の付属物１０を矢印で示すように凹所５内に収容する。そして、付属物１０に連結されている釣糸を、近くにあるいずれかの切欠き３ｃを介して外に出し、これを糸巻３ａに巻回して行く。この巻回作業に際して、別の付属物が切欠き３ｃに接近する度に、その付属物を上記した操作によって凹所５内に収容し、そして最後に釣糸をいずれかの切り込み３ｄに挟みこむことで巻回作業が終了する。この状態で、各付属物は、凹所５内に収容されており外部に露出することはない。
【００１２】
なお、上述した構成において、各部材は、例えば以下のように構成したり、変形することが可能である。
支持部７の材質については、特に限定されることはないが、ゴムやスプリング等の弾性体を用いることによって、カバー部材９を、より揺動しやすく保持することが可能となり、指で押圧した際、対向部分が簡単に持ち上がり、付属物の凹所内への収容を行い易くすることができる。また、支持部は、ビス止め等によって、本体２もしくはカバー部材９に固定保持したり、あるいは後述する係止構造によって、カバー部材９とともに本体２から容易に着脱できるように構成しても良い。
【００１３】
上記カバー部材９についても柔軟な表面を有する部材で形成することで、より揺動し易く構成することができる。また、カバー部材や本体は、透光性を有する材料で形成することが望ましい。このように透光性を有することで、内部に収容した付属物を容易に確認することができる。もちろん透光性を有する部分は、一部であっても良いし、仕掛巻全体であっても良い。なお、以上のような構成は、例えばＡＢＳ樹脂で各部材を形成することで達成することが可能である。
【００１４】
以上のような構成によれば、上述した従来の仕掛巻と比較して、部品点数が少なくなり、従来と同様の機能を有する仕掛巻を安価に製造することができる。また、カバー部材を単に揺動させるように保持した構造であり、別の糸巻を出没させるような構造でないため、全体の薄型化が図れ、実釣時により多くの仕掛巻を携行することができ、仕掛けの巻回作業も、単にカバー部材を押圧するという簡単な操作だけで行える。
【００１５】
次に、本発明の別の実施形態について説明する。なお、以下に説明する実施形態では、上記第１の実施形態と同一の部分については、同一の参照符号を付し、その説明を省略する。
【００１６】
図２は、本発明の第２の実施形態を示す図であり、（ａ）は正面図、（ｂ）は使用状態を示す側面断面図、（ｃ）は背面図である。
【００１７】
この実施形態では、カバー部材９と支持部１７とは樹脂等によって一体的に形成されている。前記支持部１７は、カバー部材９の中央から略垂直に突設されており、その直径方向に沿って軸方向に延出する縦溝１７ａが形成されると共に、本体２に形成された円形の嵌合孔２ａに嵌入され、本体２の表面に係止される係止部１７ｂが形成されている。前記支持部１７は弾性変形可能であり、係止部１７ｂを摘むことでカバー部材９を本体２から着脱可能に構成している。また、本体２には、前記支持部１７が弾性的に揺動しやすいように、支持部１７を囲むようにして切欠部２ｂが形成されている。この実施形態では、切欠部２ｂは、円弧状で所定間隔をおいて４ヶ所開口するように形成されており、そのような開口を形成することで、支持部１７を点線で示すようにたわみやすく構成している。
【００１８】
上記した構成においても、例えば、先端に釣針１０ａを有し、中間部にヨリモドシ１０ｂを有する仕掛けを巻回する場合、最初にカバー部材９の任意の端部を押圧して対向する端部を浮き上がらせ、この状態で生じた隙間を介して、釣針を収容部である凹所５に入れる。そして、釣糸Ｓを切欠き３ｃから糸巻３ａに巻回し、別の付属物であるヨリモドシ１０ｂが切欠き３ｃに接近したとき、そのヨリモドシを上記した操作と同様、凹所５内に収容し、再び釣糸Ｓを切欠き３ｃから糸巻３ａに巻回し、そして最後に釣糸Ｓをいずれかの切り込み３ｄに挟み込めば良い。
【００１９】
この構成の仕掛巻によれば、支持部１７が切欠部２ｂによって揺動可能なため、カバー部材９とフランジ３との間に、より広い間隙が形成でき、小物の取出しや収容が容易に行なえるようになる。また、カバー部材９が本体２から着脱可能であるため、凹所５内で仕掛けが絡まっても容易に解くことが可能になる。
【００２０】
図３は、本発明の第３の実施形態を示す図であり、（ａ）は正面図、（ｂ）は使用状態を示す側面断面図、（ｃ）は背面図である。
【００２１】
この実施形態では、カバー部材９と支持部２７とは樹脂等によって一体的に形成されている。前記支持部２７は、カバー部材９の中央から略垂直に突設されており、本体２に形成された円形の嵌合孔２ａに嵌入されて本体２の表面に係止される係止部２７ａが形成されている。また、本体２には、前記支持部２７が弾性的に揺動しやすいように、嵌合孔２ａに十字状に交わるように開口する切欠部２ｃが形成されている。
【００２２】
この構成においても、図２に示した構成と同様に仕掛けを巻回することができる。また、支持部２７が切欠部２ｃによって揺動可能なため、カバー部材９とフランジ３との間に、より広い間隙が形成でき、小物の取出しや収容が容易に行なえるようになる。
【００２３】
図４は、本発明の第４の実施形態を示す図であり、（ａ）は正面図、（ｂ）は使用状態を示す側面断面図、（ｃ）は背面図である。
【００２４】
この実施形態では、本体２と支持部３７とは樹脂等によって一体的に形成されている。前記支持部３７は、本体２の中央から略垂直に突設されており、その直径方向に沿って軸方向に延出する縦溝３７ａが形成されると共に、カバー部材９に形成された円形の嵌合孔９ａに嵌入され、カバー部材９の表面に係止される係止部３７ｂが形成されている。前記支持部３７は弾性変形可能であり、係止部３７ｂを摘むことでカバー部材９を本体２から着脱可能に構成している。また、本体２には、上記支持部３７が弾性的に揺動しやすいように、支持部３７を囲むようにして切欠部２ｄが形成されている。この実施形態では、切欠部２ｄは、円弧状で所定間隔をおいて４ヶ所開口するように形成されており、そのような開口を形成することで、支持部３７を点線で示すようにたわみやすく構成している。
【００２５】
この構成においても、上記した構成と同様に仕掛けを巻回することができる。また、支持部３７が切欠部２ｄによって揺動可能なため、カバー部材９とフランジ３との間に、より広い間隙が形成でき、小物の取出しや収容が容易に行なえるようになる。また、カバー部材９が本体２から着脱可能であるため、凹所５内で仕掛けが絡まっても容易に解くことが可能になる。
【００２６】
図５は、本発明の第５の実施形態を示す図であり、（ａ）は正面図、（ｂ）は使用状態を示す側面断面図、（ｃ）は背面図である。
【００２７】
この実施形態では、本体２と支持部４７とは樹脂等によって一体的に形成されている。前記支持部４７は、本体２の中央から略垂直に突設されており、その直径方向に沿って軸方向に延出する縦溝４７ａが形成されると共に、カバー部材９に形成された円形の嵌合孔９ａに嵌入され、カバー部材９の表面に係止される係止部４７ｂが形成されている。前記支持部４７は弾性変形可能であり、係止部４７ｂを摘むことでカバー部材９を本体２から着脱可能に構成している。また、カバー部材９には、前記支持部４７が弾性的に揺動しやすいように、支持部４７を囲むようにして切欠部９ｂが形成されている。この実施形態では、切欠部９ｂは、半円弧状で所定間隔をおいて２ヶ所開口するように形成されており、そのような開口を形成することで、支持部４７を点線で示すようにたわみやすく構成している。
【００２８】
この構成においても、上記した構成と同様に仕掛けを巻回することができる。また、支持部４７が切欠部９ｂによって揺動可能なため、カバー部材９とフランジ３との間に、より広い間隙が形成でき、小物の取出しや収容が容易に行なえるようになる。また、カバー部材９が本体２から着脱可能であるため、凹所５内で仕掛けが絡まっても容易に解くことが可能になる。
【００２９】
図６は、本発明の第６の実施形態を示す図であり、（ａ）は正面図、（ｂ）は使用状態を示す側面断面図、（ｃ）は背面図である。
【００３０】
この実施形態では、カバー部材９と支持部５７とは樹脂等によって一体的に形成されている。前記支持部５７は、カバー部材９の中央から略垂直に突設されており、その直径方向に沿って軸方向に延出する縦溝５７ａが形成されると共に、本体２に形成された円形の嵌合孔２ａに嵌入され、本体２の表面に係止される係止部５７ｂが形成されている。前記支持部５７は弾性変形可能であり、係止部５７ｂを摘むことでカバー部材９を本体２から着脱可能に構成している。また、カバー部材９には、前記支持部５７が弾性的に揺動しやすいように、支持部５７を囲むようにして切欠部９ｂが形成されている。この実施形態では、切欠部９ｂは、半円弧状で所定間隔をおいて２ヶ所開口するように形成されており、そのような開口を形成することで、支持部５７を点線で示すようにたわみやすく構成している。
【００３１】
この構成においても、上記した構成と同様に仕掛けを巻回することができる。また、支持部５７が切欠部９ｂによって揺動可能なため、カバー部材９とフランジ３との間に、より広い間隙が形成でき、小物の取出しや収容が容易に行なえるようになる。また、カバー部材９が本体２から着脱可能であるため、凹所５内で仕掛けが絡まっても容易に解くことが可能になる。
【００３２】
以上の第２〜第６実施形態のように、支持部が設けられる近傍位置（本体２、カバー部材９のどちらでも良い）に、切欠部を形成したことで、支持部が弾性的に揺動しやすくなり、カバー部材９とフランジ３との間により広い間隙を形成することができ、仕掛けの巻回操作性の向上が図れる。特に、切欠部を形成するという簡単な構成であるため、コストが高くなるようなことはない。また、上記した切欠部は、支持部自体が揺動しやすいように構成されていれば、その形状や形成箇所等については限定されることはない。
【００３３】
【発明の効果】
以上、本発明によれば、構造が簡単で安価に製造でき、各種付属物の収納が容易に行える釣用仕掛巻が提供される。
【図面の簡単な説明】
【図１】本発明の第１の実施形態を示す図であり、（ａ）は正面図、（ｂ）は使用状態を示す側面断面図。
【図２】本発明の第２の実施形態を示す図であり、（ａ）は正面図、（ｂ）は使用状態を示す側面断面図、（ｃ）は背面図。
【図３】本発明の第３の実施形態を示す図であり、（ａ）は正面図、（ｂ）は使用状態を示す側面断面図、（ｃ）は背面図。
【図４】本発明の第４の実施形態を示す図であり、（ａ）は正面図、（ｂ）は使用状態を示す側面断面図、（ｃ）は背面図。
【図５】本発明の第５の実施形態を示す図であり、（ａ）は正面図、（ｂ）は使用状態を示す側面断面図、（ｃ）は背面図。
【図６】本発明の第６の実施形態を示す図であり、（ａ）は正面図、（ｂ）は使用状態を示す側面断面図、（ｃ）は背面図。
【符号の説明】
１  釣用仕掛巻
３  フランジ
３ａ  糸巻
５  凹所
７，１７，２７，３７，４７，５７  支持部
９  カバー部材
【図１】
0003748345.tif 000002
【図２】
0003748345.tif 000003
【図３】
0003748345.tif 000004
【図４】
0003748345.tif 000005
【図５】
0003748345.tif 000006
【図６】
0003748345.tif 000007